(57)【要約】【課題】アクセスネットワークにおける複数の通信装置の管理方法を提供すること。【解決手段】複数の通信装置の各通信装置は、アクセスユニットを介して管理サーバに連結されている。この方法は、アクセスユニットが、通信装置管理段階中に、管理サーバから複数の通信装置の通信装置のそれぞれに一時的なポイントツーポイント接続を連続的に確立するステップを含む。この方法は、管理サーバが、管理サーバと複数の通信装置の対応する通信装置の間に一時的なポイントツーポイント接続のそれぞれを確立するに当たり、対応する通信装置ＣＤの端末識別子に基づいて複数の通信装置の対応する通信装置ＣＤを管理するステップをさらに含む。【選択図】      図１
2005295546.tif 000002
【特許請求の範囲】
【請求項１】
複数の通信装置（ＣＤ１．．ＣＤｘ）の各通信装置がアクセスユニット（ＡＵ）を介して管理サーバに連結される、アクセスネットワーク（ＡＮ）における前記複数の通信装置の管理方法であって、
ａ．前記アクセスユニット（ＡＵ）が、通信装置管理段階中に、前記管理サーバ（ＭＳ）から前記複数の通信装置の前記通信装置のそれぞれに一時的なポイントツーポイント接続を連続的に確立し、
ｂ．前記管理サーバ（ＭＳ）が、前記管理サーバ（ＭＳ）と前記複数の通信装置（ＣＤ１．．ＣＤｘ）の対応する通信装置の間で前記一時的なポイントツーポイント接続のそれぞれを確立するに当たり、前記対応する通信装置ＣＤの端末識別子に基づいて前記複数の通信装置（ＣＤ１．．ＣＤｘ）の前記対応する通信装置の設定を管理する、
ステップを含むことを特徴とする方法。
【請求項２】
前記アクセスユニット（ＡＵ）と前記通信装置（ＣＤ）の間に非同期伝送方法が適用される場合には、交換仮想接続を介して一時的なポイントツーポイント第２層接続が確立されることを特徴とする請求項１に記載の方法。
【請求項３】
前記アクセスユニット（ＡＵ）と前記管理サーバ（ＭＳ）の間に集約ネットワークにおける非同期伝送方法が適用される場合には、常設の仮想接続を介して前記一時的なポイントツーポイント接続が確立されることを特徴とする請求項１に記載の方法。
【請求項４】
前記アクセスユニット（ＡＵ）と前記管理サーバ（ＭＳ）の間にイーサネット（登録商標）集約ネットワークが適用される場合には、仮想ローカルエリアネットワークパイプを介して前記ポイントツーポイント接続が確立されることを特徴とする請求項１に記載の方法。
【請求項５】
前記アクセスユニット（ＡＵ）と前記管理サーバ（ＭＳ）の間にマルチプロトコルラベルスイッチング集約ネットワークが適用される場合には、ラベルスイッチ経路を介して前記一時的なポイントツーポイント接続が確立されることを特徴とする請求項１に記載の方法。
【請求項６】
前記端末識別子は通信装置のＭＡＣアドレスであることを特徴とする請求項１に記載の方法。
【請求項７】
前記端末識別子は組織で一意の識別子であることを特徴とする請求項１に記載の方法。
【請求項８】
前記端末識別子は一群の通信装置の１つの識別子であることを特徴とする請求項１に記載の方法。
【請求項９】
前記管理サーバ（ＭＳ）から前記複数の通信装置の前記通信装置のそれぞれに一時的なポイントツーポイント接続を連続的に確立する前記ステップが、前記アクセスユニットの管理データに基づくことを特徴とする請求項１から８のいずれかに記載の方法。
【請求項１０】
複数の通信装置（ＣＤ１．．ＣＤｘ）の各通信装置がアクセスユニット（ＡＵ）を介して設定サーバに連結される、アクセスネットワーク（ＡＮ）における前記複数の通信装置（ＣＤ１．．ＣＤｘ）を管理するための前記アクセスユニット（ＡＵ）であって、
ａ．通信装置管理段階中に、前記管理サーバ（ＭＳ）から前記複数の通信装置（ＣＤ１．．ＣＤｘ）の前記通信装置のそれぞれに一時的なポイントツーポイント接続を連続的に確立するように構成された接続部分、
を含むアクセスユニット（ＡＵ）。
【発明の詳細な説明】
【技術分野】
【０００１】
本発明は、請求項１のプリアンブルに記載のアクセスネットワークにおける複数の通信装置の管理方法および請求項１０のプリアンブルに記載のアクセスユニットに関する。
【背景技術】
【０００２】
このような管理方法および関連装置は、当技術分野では一般に知られている。インターネットプロトコルネットワークアクセスネットワークにおける通信装置の、例えば設定などの管理方法は、設定サーバのような管理ネットワーク要素と管理を受けるべき装置との間で、管理目的で必要とされる第３層接続を提供するためのインターネットプロトコル層を使用して実現される。
【０００３】
このような通信ネットワークは、アクセスユニットとイーサネット（登録商標）、ＡＴＭまたはＭＰＬＳ集約ネットワークを含み、ここで、デジタル加入者回線アクセスユニットのようなアクセスユニットは、デジタル加入者回線モデムのような通信装置を集約ネットワークに連結する。この通信装置は、ＡＴＭ接続を介してアクセスユニットに結合されている。
【０００４】
通信装置の管理に必要とされるこの通信は、通信装置の管理アプリケーションをアドレス指定するために、ＩＰアドレスとも呼ばれるインターネットプロトコルアドレスに基づく。
【０００５】
現在、通信装置の管理に必要とされる通信は、インターネットプロトコルに基づいており、ここで、通信装置のインターネットプロトコルアドレスは、一意のアドレスである。
【０００６】
しかし場合によっては、複数の通信装置に一意でないＩＰアドレスが割り当てられるか（複数の通信装置が同じＩＰアドレスを有する場合がある）、または複数の通信装置が外部に知られたＩＰアドレスを有しない。そして、管理目的および他の目的で通信装置をアドレス指定するためにそのＩＰ層を使用することは不可能である。
【０００７】
このような状況は、例えば、公衆ＩＰアドレスの欠如により、または通信装置に割り当てられたＩＰアドレスが一意であることが保証できないネットワーク内などで生じる可能性がある。
【発明の開示】
【発明が解決しようとする課題】
【０００８】
したがって、そのような通信装置をアドレス指定するために使用可能な一意のＩＰアドレスがない場合、通信装置は第３層では到達不可能であり、管理も不可能である。
【０００９】
本発明の目的は、アクセスネットワーク環境における複数の通信装置の管理方法、および上記の知られているタイプではあるが一意のＩＰアドレスは要求されない関連装置を提供することである。
【課題を解決するための手段】
【００１０】
本発明によれば、この目的は、請求項１で請求される方法と、請求項１０で請求されるアクセスユニットにより達成される。
【００１１】
実際には、この目的は、アクセスユニットが、通信装置の管理段階中に、設定サーバから前記通信装置のそれぞれに一時的なＯＳＩ第２層ポイントツーポイント接続を連続的に確立し、解放すること、及び、設定サーバが、設定サーバと対応する通信装置の間のそのような一時的な第２層ポイントツーポイント接続のそれぞれの確立において、前記対応する通信装置の端末識別子に基づいて、複数の通信装置の対応する通信装置を管理、例えば設定することにより、達成される。
【００１２】
本発明のさらなる有利な特徴は、アクセスユニットのＯＳＩ第１層および第２層に対する修正が要求されないので、アクセスユニットのコストが高くなったり複雑性が増したりすることにはならないことである。
【００１３】
本発明を特徴付ける別の実施形態を、請求項２に記載する。
【００１４】
アクセスユニットと通信装置の間に非同期伝送方法が適用される場合には、交換仮想接続を介して一時的なポイントツーポイント第２層接続が確立される。
【００１５】
本発明を特徴付ける別の実施形態を、請求項３に記載する。
【００１６】
前記アクセスユニットと管理サーバの間に集約ネットワークにおける非同期伝送方法が適用される場合には、常設の仮想接続を介して一時的なポイントツーポイント接続が確立される。
【００１７】
本発明の別の代替形態を、請求項４に記載する。
【００１８】
アクセスユニットと管理サーバの間にイーサネット（登録商標）集約ネットワークが適用される場合には、仮想ローカルエリアネットワークパイプＶＬＡＮを介してポイントツーポイント接続が確立される。
【００１９】
本発明のさらなる代替形態を、請求項５に記載する。
【００２０】
アクセスユニットと管理サーバの間にマルチプロトコルラベルスイッチング集約ネットワークが適用される場合には、ラベルスイッチ経路ＬＳＰを介して一時的なポイントツーポイント接続が確立される。
【００２１】
本発明を特徴付ける別の実施形態を、請求項６に記載する。
【００２２】
端末識別子は、通信装置のＭＡＣアドレスである。
【００２３】
本発明のさらなる代替形態を、請求項７に記載する。
【００２４】
端末識別子は、組織で一意の識別子である。
【００２５】
本発明のさらなる代替形態を、請求項８に記載する。
【００２６】
端末識別子は、端末のモデルおよびバージョンと共に端末の製造者名のような、一群の通信装置の１つの識別子であってもよい。
【００２７】
本発明を特徴付ける別の実施形態を、請求項９に記載する。
【００２８】
管理サーバから、前記複数の通信装置の前記通信装置のそれぞれに一時的なポイントツーポイント接続を連続的に確立するステップは、前記アクセスユニットの管理データに基づく。
【００２９】
請求項で使用される「コンピューティング」という用語は、それ以後に列挙される手段に限定されるものと解釈されるべきでないことに留意されたい。したがって、「手段ＡおよびＢを含む装置」という表現の範囲は、構成要素ＡおよびＢのみから構成される装置に限定されるべきではない。これは、本発明の観点では、装置の関連する構成要素はＡとＢだけであるという意味である。
【００３０】
同様に、これも請求項で使用される「連結される」という用語は、直接接続のみに限定されるものと解釈されるべきでないことに留意されたい。したがって、「装置Ｂに連結された装置Ａ」という表現の範囲は、装置Ａの出力が装置Ｂの入力に直接接続される装置またはシステムに限定されるべきではない。これは、Ａの出力とＢの入力の間に経路が存在し、それは他の装置または手段を含む経路であってよいという意味である。
【００３１】
添付の図面を参照してなされる以下の一実施形態の説明を読むことにより、本発明の上記および他の目的および特性はより明らかになり、また本発明自体が最もよく理解されよう。
【発明を実施するための最良の形態】
【００３２】
以下の段落では、図面を参照して、本発明によるアクセスネットワークＡＮにおける複数の通信装置ＣＤ１．ＣＤｘの管理方法の一実施態様を説明する。この説明の第１の段落では、図１に示す通信ネットワークの主要な要素を説明する。第２の段落では、上記の要素と上記の手段の間のすべての接続を定義する。その後の段落では、セッション確立方法の実際の実行を説明する。
【００３３】
このようなアクセスネットワークＡＮは、多数の通信装置ＣＤ１．ＣＤｘと、複数のアクセスユニットを含むが、本明細書では、簡略化のために１つのアクセスユニットＵＡだけを提示することにする。この実施形態では、デジタル加入者回線アクセスマルチプレクサが選ばれるが、いかなる他のアクセスユニットを選ぶこともできる。
【００３４】
さらに、通信装置を管理するための管理サーバがある。この実施形態では、この管理サーバＭＳが設定サーバに選ばれたが、通信装置との第３層接続の確立を試みるいかなるＩＰ装置であってもよい。
【００３５】
通信装置のそれぞれは、ＡＴＭ接続Ｌ１、Ｌ２、Ｌｘを介してアクセスユニットＵＡに連結されるが、これは、イーサネット（登録商標）またはＭＰＬＳのようないかなる他の第２層接続であってもよい。
【００３６】
設定サーバＭＳは、ＡＴＭ、イーサネット（登録商標）またはＭＰＬＳ集約ネットワークを介してアクセスユニットＡＵに連結される。
【００３７】
本発明の動作を説明するために、通信装置それぞれに一意のＩＰアドレスが割り当てられているのではないと仮定するが、本発明は、すべての通信装置が一意の公衆ＩＰアドレスを有する場合にも動作する。通信装置を最初の動作で設定するなどのような、通信端末が管理を受ける必要のある特定時点をさらに仮定する。
【００３８】
ＩＰを介した顧客構内管理の場合、アクセスユニットＡＵは、設定サーバＭＳと、アクセスユニットＡＵに連結された通信装置の間にＩＰ接続を連続的に確立する。しかし、その端末に一意の公衆ＩＰアクセスが割り当てられていないので、ＩＰ接続の確立は不可能である。
【００３９】
その代わり、アクセスユニットＡＵは、通信装置管理段階中に、アクセスユニットＡＵから通信装置それぞれに一時的なポイントツーポイント第２層接続を連続的に確立し、解放する。この一時的なポイントツーポイント第２層接続は、アクセスユニットと設定サーバ（ＣＳ）の間の常設の第２層接続に対する相互接続である。設定サーバＭＳは、設定サーバＭＳと前記複数の通信装置ＣＤ１．．ＣＤｘの対応する通信装置の間に前記一時的なポイントツーポイント第２層接続のそれぞれを確立するに当たり、ここでは対応する通信装置ＣＤ１の端末識別子を使用するために、対応する通信装置ＣＤ１を設定する。通信装置ＣＤ１の設定後、確立された一時的なポイントツーポイント第２層接続は解放される。その後、アクセスユニットは、設定サーバＭＳと通信装置ＣＤ２の間に一時的なポイントツーポイント第２層接続を確立し、さらに、設定サーバＭＳによる通信装置ＣＤ２の設定がこれに続く。この設定の終了時に、設定サーバＭＳと通信装置ＣＤ２の間の一時的なポイントツーポイント第２層接続が解放される。これは、管理を受けるべき通信装置それぞれに対して連続的に実行される。
【００４０】
アクセスユニットと通信装置の間に非同期伝送方法が適用される場合、交換仮想接続を介して一時的なポイントツーポイント第２層接続を確立することができることに留意されたい。
【００４１】
前記アクセスユニットと管理サーバの間に集約ネットワークにおける非同期伝送方法が適用される場合は、常設の仮想接続を介して一時的なポイントツーポイント接続を確立することができ、もしくはアクセスユニットと管理サーバの間にイーサネット（登録商標）集約ネットワークが適用される場合は、仮想ローカルエリアネットワークパイプＶＬＡＮを介してポイントツーポイント接続を確立することができ、もしくはアクセスユニットと管理サーバの間にマルチプロトコルラベルスイッチング集約ネットワークが適用される場合は、ラベルスイッチ経路ＬＳＰを介して一時的なポイントツーポイント接続を確立することができることにもさらに留意されたい。
【００４２】
管理サーバから前記複数の通信装置の前記通信装置それぞれに一時的なポイントツーポイント接続を連続的に確立するステップは、前記アクセスユニットの管理データに基づくことにも留意されたい。
【００４３】
端末識別子は、端末のＭＡＣアドレスまたは組織一意識別子（ＯＵＩ）のような通信装置のいかなる他の一意の識別子であってもよい。
【００４４】
端末識別子は、端末のモデルおよびバージョンと共に端末の製造者名のような、一群の通信装置に対する１つの識別子であってもよい。
【００４５】
本発明は、通信装置がブリッジまたは経路指定されたモデムであり、アクセスユニットＵＡがデジタル加入者回線アクセスマルチプレクサとして実施される、ＸＤＳＬネットワークに適用することができることに注目されたい。リンクＬ１、Ｌ２、．．．ＬｘはＡＴＭ接続であり、デジタル加入者回線アクセスマルチプレクサは、イーサネット（登録商標）またはＡＴＭ集約ネットワークを介して設定サーバに連結される。
【００４６】
本発明は、モバイルネットワークでも、ケーブルネットワークでも、またはファイバーネットワークでも適用することができる。
【００４７】
最後に、本発明の実施形態は、上記では機能ブロックに関して説明した。上記のこれらブロックの機能的な説明から、電子装置を設計する当業者には、良く知られた電子コンポーネントによってこれらブロックの実施形態を製造する方法は明らかであろう。したがって、機能ブロックの内容の詳細なアーキテクチャは示さない。
【００４８】
上記では具体的な装置に関して本発明の原理を説明したが、この説明は一例としてなされたものであって、添付の特許請求の範囲で定義されるような本発明の範囲に対する限定としてなされたものでないことを明白に理解されたい。
【図面の簡単な説明】
【００４９】
【図１】本発明が実施されるアクセスネットワークＡＮのような通信ネットワークＣＮを示す図である。
【符号の説明】
【００５０】
ＡＮ  アクセスネットワーク
Ｌ１、Ｌ２、．．．Ｌｘ  ＡＴＭ接続
ＣＤ  通信装置
ＡＵ  アクセスユニット
ＭＳ  管理サーバ
【図１】
2005295546.tif 000003
【外国語明細書】
2005295546.tif 000004
2005295546.tif 000005
2005295546.tif 000006
2005295546.tif 000007
2005295546.tif 000008
2005295546.tif 000009
2005295546.tif 000010
2005295546.tif 000011
2005295546.tif 000012
2005295546.tif 000013
2005295546.tif 000014
2005295546.tif 000015
2005295546.tif 000016